(57)【要約】【課題】挿通細線と栓体との間に溶剤形接着剤が付着固化してしまっても、簡単な操作で素早く除去することができる使い勝手の良いキャップ付き容器を提供する。【解決手段】シール位置から、栓体７のシール部７ａがキャップ４の先端口４ｃから離間して、挿通細線６と栓体７との間に付着固化した溶剤形接着剤Ｇを取り除く清掃位置までスライド変位する。このため、挿通細線６と栓体７との間に溶剤形接着剤Ｇが付着固化してしまっても、栓体７をシール位置から清掃位置までスライド変位させるといった簡単な操作で、固化した溶剤形接着剤Ｇを外部に露出させて素早く取り除くことができる。【選択図】図２
0003141697.tif 000002
【実用新案登録請求の範囲】
【請求項１】
所定の使用対象物に塗布する液状体を収容し、前記液状体の出口となる吐出部を有する容器体と、
前記吐出部に着脱可能に螺合される手掛け部を有し、先端口から前記容器体の前記吐出部に連通する先端細径の挿通孔を貫通形成した先細り状のキャップと、
前記挿通孔に挿通され、上端部に外方に膨出する曲面体を有する挿通細線と、
弾性拡開して前記曲面体に前記挿通細線の長手方向にスライド可能に嵌め込まれ、下端部が前記キャップの先端口に気密に嵌合するシール部を有する管状の栓体とを備え、
前記シール部が前記先端口に気密に嵌合するシール位置と前記挿通細線を前記挿通孔から抜き出して前記シール部が前記先端口から離間して前記曲面部にスライドし、前記挿通細線と前記栓体との間に付着固化した前記液状体を取り除く清掃位置との間で前記栓体をスライド変位させるようにしたキャップ付き容器。
【請求項２】
前記曲面体は、前記挿通細線に多数条の糸を巻回して接着剤で固めて形成した下地体に、樹脂を固化して成ることを特徴とする請求項１に記載のキャップ付き容器。
【請求項３】
前記曲面体は、前記挿通細線に多数条の糸を巻回して接着剤で固めて成ることを特徴とする請求項１に記載のキャップ付き容器。
【請求項４】
前記栓体の外周面には、グリップ用の微小突起が多数形成されていることを特徴とする請求項１に記載のキャップ付き容器。
【請求項５】
前記栓体の下端部内周面には、周方向にリップ状の突輪部が形成され、前記キャップの上端部には、前記突輪部が弾性変形を伴って係合する周溝部が形成されていることを特徴とする請求項１に記載のキャップ付き容器。
【考案の詳細な説明】
【技術分野】
【０００１】
本考案は、容器体内の液状体をキャップから外部に押し出して使用するキャップ付き容器に関する。
【背景技術】
【０００２】
例えば、個人的な論文、紀行文、自叙伝、画集あるいは詩集などを家庭などで手軽に纏めて、小冊子や書籍などとして製本することがある。この場合、簡易な製本機により重ね合せた印字用紙の背面部を結束し、その背面部には、接着剤の押出し容器から絞り出した接着剤を塗って固着している。
この種の押出し容器１９は、図４（ａ）に示すように、先端部に管状の吐出部２１を形成し、内部に接着剤を液状体として収容したチューブ体２０を有している。吐出部２１は、図４（ｂ）に示すように、キャップ２２に螺合する雄ねじ部２１ａを形成している。
キャップ２２の内部には、吐出部２１内に挿入する短尺な栓部２２ａが延設されている。使用時、キャップ２２を吐出部２１から外し、チューブ体２０を押して吐出部２１から粘着性の接着剤を絞り出す。
【０００３】
上記の押出し容器１９では、栓部２２ａは吐出部２１に差し込まれているだけなので、密封性に乏しく、接着剤が溶媒などの揮発成分を失って固化して詰まり、再使用時に接着剤をチューブ体２０から押し出せなくなる虞がある。この状態で、接着剤を押し出すためには、別体のマッチ針や細径の針金を用意して固化した接着剤に刺し込み、刺込孔を開けて奥方の接着剤を絞り出さざるを得ないため、全量の接着剤を十分に利用できず不経済であるうえに、使い勝手も悪くなる。これに改善を加えて上記の不具合を解消したものに、特許文献１に記載されたキャップ付き容器がある。
【特許文献１】特開２００７−１８２２５６号公報
【考案の開示】
【考案が解決しようとする課題】
【０００４】
しかしながら、特許文献１のキャップ付き容器では、先端連通孔を気密に閉鎖するため、キャップ具がゴム体、挿込み部、連結部および止め孔部といった多くの部材を用いている。このため、先端連通孔の気密保持構造が複雑になり、省スペース化を阻む上にコスト的にも不利となる。また、挿通線部の隆起部に弾性チューブを嵌め込んだ構造では、省スペース化が図られるものの、弾性チューブをスライド変位させることができないので、弾性チューブと挿通線部との間に侵入して固着した接着剤を簡単には除去し難いという不都合がある。
【０００５】
本考案は上記の事情を考慮してなされたもので、その目的は液状体が吐出部から漏れ出したり、乾燥することをなくすことで、液状体が固化して吐出部に詰まることがなくなることは勿論、挿通細線と栓体との間に液状体が付着固化してしまっても、簡単な操作で素早く除去することができる使い勝手の良いキャップ付き容器を提供することにある。
【課題を解決するための手段】
【０００６】
（請求項１について）
容器体は、所定の使用対象物に塗布する液状体を収容し、液状体の出口となる吐出部を有する。先細り状のキャップは、吐出部に着脱可能に螺合されて、吐出部を介して容器体に連通する先端細径の挿通孔を有する。挿通細線は、挿通孔に挿通され、上端部に外方に膨出する曲面体を有する。
管状の栓体は、弾性拡開して曲面体に挿通細線の長手方向にスライド可能に嵌め込まれ、下端部がキャップの先端口に気密に嵌合するシール部を有する。シール部が先端口に気密に嵌合するシール位置と挿通細線を挿通孔から抜き出してシール部が先端口から離間して曲面部にスライドし、挿通細線と栓体との間に付着固化した液状体を取り除く清掃位置との間で栓体をスライド変位させるようにしている。
【０００７】
請求項１において、キャップを容器体に装着して使用する時、挿通細線をキャップの挿通孔から抜き出し、容器体内の液状体をキャップの挿通孔から押し出し、所定の使用対象物に塗布する。使用後には、挿通細線をキャップの挿通孔から容器体の内部に挿入する。  この場合、栓体がキャップの挿通孔を気密に閉鎖するため、液状体が溶媒などの揮発により乾燥してしまうことがない。この結果、液状体が吐出部に付着固化して詰まることがなくなるため、長期にわたってキャップの良好な絞り出し機能を維持することができる。  
【０００８】
長期使用に伴い、液状体が挿通孔内や吐出部内で乾燥固化してしまっても、挿通細線を固化した液状体に刺し込むことにより、刺込孔を開けることができるので、液状体を支障なく外部に押し出すことができる。
とりわけ、挿通細線と栓体との間に液状体が付着固化してしまっても、挿通細線を挿通孔から抜き出した後、栓体をシール位置から清掃位置までスライド変位させて、固化した液状体を外部に露出させることで、手指で剥がすことにより素早く取り除くことができる。
【０００９】
（請求項２について）
曲面体は、挿通細線に多数条の糸を巻回して接着剤で固めて形成した下地体に、樹脂を固化して成る。
下地体を形成した糸に樹脂を固める構成のため、挿通細線に対する曲面体の固定状態が強固になる。
【００１０】
（請求項３について）
曲面体は、挿通細線に多数条の糸を巻回して接着剤で固めて形成されて成る。曲面体の形成時、糸を挿通細線に巻回するといった簡素な構成で済み、コスト的にも有利である。  
【００１１】
（請求項４について）
栓体の外周面には、グリップ用の微小突起が多数形成されている。このため、栓体に対する手指の把持性が向上して使い易くなる。
【００１２】
（請求項５について）
栓体の下端部内周面には、周方向にリップ状の突輪部が形成され、キャップの上端部には、突輪部が弾性変形を伴って係合する周溝部が形成されている。このため、突輪部と周溝部との係合性が向上してキャップの上端部に対する栓体の良好な気密性が得られる。
【考案を実施するための最良の形態】
【００１３】
本考案では、栓部がキャップの挿通孔を気密に閉鎖するため、液状体が揮発により乾燥してしまうことがないものの、挿通細線と栓体との間に液状体が付着固化してしまっても、栓体をシール位置から清掃位置までスライド変位させるといった簡単な操作で、固化した液状体を外部に露出させて素早く取り除くことができ、液状体に対する良好な絞り出し機能を長期にわたって保持することができる。
【実施例１】
【００１４】
図１ないし図３に基づいて本考案の実施例１を説明する。
本考案の実施例１に係るキャップ付き容器１は、図１に示すように、例えば溶剤形接着剤Ｇを液状体として収容した樽状の容器体２により接着剤押出容器を構成している。図１に二点鎖線で示すように、キャップ付き容器１を略水平に設置した場合には、溶剤形接着剤Ｇが後述するキャップ４内の挿通孔４ｂに浸出する。
【００１５】
この容器体２の先端部には、図２の（ａ）に示すように、外周部に雄ねじ部３ａを有する管状の吐出部３が立設されている。吐出部３の雄ねじ部３ａには、内部に雌ねじ部４ｅを有するプラスチック製のキャップ４が径大な手掛け部４ａを介して着脱可能に螺合されている。このキャップ４の先端外側部は、先細り状のテーパ面４ｄを有する略円錐状に形成されている。手掛け部４ａはキャップ４の基端部に位置し、キャップ４の先端口４ｃからは、容器体２の内部に連通する細径の挿通孔４ｂが長手方向に沿いながら手掛け部４ａに向かって貫通形成している。
【００１６】
キャップ４の挿通孔４ｂには、軟鋼やステンレススチールなどの金属、あるいはプラスチックなどの細径の線材により形成された縦長な挿通細線６が設けられている。挿通細線６の外径Ｅは、挿通孔４ｂの内径Ｆよりも僅かに小さく、前者の外径Ｅと後者の内径Ｆとの差は、例えば０．１〜０．５ｍｍ程度の範囲内に設定されている。
【００１７】
挿通細線６は、キャップ４の挿通孔４ｂから吐出部３を介して容器体２の溶剤形接着剤Ｇに到るように挿入されている。挿通細線６の上端部６ａには、図２（ｂ）に示すように、多数条の糸５ｂを巻回して接着剤（図示せず）で固めて下地体５ａを形成し、この下地体５ａに、例えば水エポキシ（商品名）といった樹脂を固化して楕円体を形成している。この楕円体を挿通細線６の外方に膨出する曲面体５としている。糸５ｂは天然繊維でもよく、プラスチック製の合成繊維でもよい。
【００１８】
管状の栓体７は、曲面体５の装着されるもので、例えばシリコンゴム製の弾性体を成している。栓体７の縦長ｗは、曲面体５の長径ｔより長く（例えば３倍程度）、内径ｖは曲面体５の短径ｕより若干小さくなっている。栓体７は、図２（ｃ）に示すように、弾性拡開により曲面体５に挿通細線６の長手方向にスライド可能に嵌め込まれている。栓体７の中間部は、スライド変位に伴って曲面体５に沿って外方に膨出するように弾性変形する。  
【００１９】
栓体７の下端部は、シール位置でキャップ４の上端部に気密に嵌合するシール部７ａを形成する。シール部７ａの開口内周縁部は、面取り状の環状縁７ｂを案内部として形成し、シール部７ａをキャップ４の上端部の外周部に嵌め易くしている。
【００２０】
挿通細線６を挿通孔４ｂから抜き出した状態で、栓体７を図２（ｃ）のシール位置から、矢印Ｍ方向にスライドさせて引き上げると、図２（ｄ）に示すように、栓体７のシール部７ａが曲面体５にスライドして清掃位置に至るようにしている。
清掃位置では、挿通細線６と栓体７との間に溶剤形接着剤Ｇが付着固化してしまった場合、付着固化した溶剤形接着剤Ｇが固形部Ｇａとして外部に露出する。
【００２１】
上記構成では、キャップ４を容器体２に装着して使用する時、挿通細線６をキャップ４の挿通孔４ｂから抜き出し、容器体２内の溶剤形接着剤Ｇをキャップ４の挿通孔４ｂから押し出し、所定の使用対象物に塗布する。使用後には、挿通細線６をキャップ４の挿通孔４ｂから容器体２の内部に挿入する。
この場合、栓体７がキャップ４の挿通孔４ｂを気密に閉鎖するため、溶剤形接着剤Ｇが溶媒などの揮発により乾燥してしまうことがない。この結果、溶剤形接着剤Ｇが吐出部３に付着固化して詰まることがなくなるため、長期にわたってキャップ４の良好な絞り出し機能を維持することができる。
【００２２】
長期使用に伴い、溶剤形接着剤Ｇが挿通孔４ｂ内や吐出部３内で乾燥固化してしまっても、挿通細線６を固化した溶剤形接着剤Ｇに刺し込むことにより、刺込孔を開けることができるので、溶剤形接着剤Ｇを支障なく外部に押し出すことができる。
とりわけ、挿通細線６と栓体７との間に溶剤形接着剤Ｇが固形部Ｇａとして付着固化してしまっても、挿通細線６を挿通孔４ｂから抜き出した後、栓体７をシール位置から清掃位置までスライド変位させることで、溶剤形接着剤Ｇの固形部Ｇａが外部に露出するので、固形部Ｇａを手指などで剥がして取り除くことができる。
【００２３】
図１に二点鎖線で示すように、使用後にキャップ付き容器１を略水平に設置しておくことにより、溶剤形接着剤Ｇがキャップ４内の挿通孔４ｂに浸出する。このため、挿通細線６が短くても、あるいは使用に伴い溶剤形接着剤Ｇが少なくなっても、溶剤形接着剤Ｇが挿通細線６を浸しているので、再使用時に、挿通細線６をキャップ４から抜き出した直後から溶剤形接着剤Ｇを容器体２から絞り出して使用対象物に塗布することができる。
【００２４】
図２（ｅ）は、実施例１の変形例であり、糸４ｂを楕円体状に膨出させるように挿通細線６に巻回し、接着剤（図示せず）で固化して曲面体５を形成している。この変形例では、糸を巻回するといった簡素な構成で済みコスト的にも有利である。
【実施例２】
【００２５】
図３は本考案の実施例２を示す。実施例２が実施例１と異なるところは、図３（ａ）に示すように、栓体７の下端部内周面に、周方向にリップ状の突輪部７ｃが形成され、キャップ４の先端口４ｃに、突輪部７ｃが弾性変形を伴って係合する周溝部４ｄを形成したことである。
このため、図３（ｂ）に示すように、突輪部７ｃと周溝部４ｄとの係合性が向上してキャップ４の先端口４ｃに対する栓体７の良好な気密性が得られる。
【実施例３】
【００２６】
図３（ｃ）は本考案の実施例３を示す。実施例３が実施例２と異なるところは、栓体７の外周面に、グリップ用の微小突起７ｄを多数形成し、挿通細線６にねじ部６ｂを施したことである。微小突起７ｄの形成により、栓体７に対する手指の把持性が向上して使い易くなり、ねじ部６ｂの形成により、挿通細線６を回転させることで挿通孔４ｂに挿通し易くなる。
【００２７】
（変形例）
（ａ）栓体７としては、シリコンゴムに限らず、天然ゴム、合成ゴム（ＡＣＭ、ＮＢＲ、ＩＲ、ＥＰＭ、ＥＰＤＭ、ＥＣＯ、ＣＲ、ＳＢＲ、ＢＲ、ＦＫＭ、ＩＩＲ）であってもよい。
（ｂ）容器体２に収容する液状体としては、溶剤形接着剤Ｇに限らず、水溶形接着剤を用いてもよく、化粧水、化粧クリーム、軟膏あるいは他の薬剤などであってもよい。
【００２８】
（ｃ）曲面体５は、水中エポキシに限らず、他のプラスチック材料でもよく、要は栓体７をスライド変位可能に弾性変形させ得るものであればよい。
（ｄ）使用対象物は、小冊子や書籍の製本に限らず、紙片、木片および布片などや日用雑貨品であってもよい。
【産業上の利用可能性】
【００２９】
本考案のキャップ付き容器では、挿通細線を抜き出す際、栓体との間に液状体が付着固化してしまっても、栓体をシール位置から清掃位置までスライド変位させるといった簡単な操作で、固化した液状体を外部に露出させて素早く取り除くことができる。使い勝手がよく安価な利点が需要を喚起し、関連部品などの流通を介して化学・機械産業界へ広く適用することができる。
【図面の簡単な説明】
【００３０】
【図１】キャップ付き容器の正面図である（実施例１）。
【図２】（ａ）はキャップ付き容器の要部の縦断面図（実施例１）、（ｂ）は栓体、曲面体および挿通細線の分解斜視図（実施例１）、（ｃ）はシール位置における栓体、曲面体および挿通細線の縦断面図（実施例１）、（ｄ）は清掃位置における栓体、曲面体および挿通細線の縦断面図（実施例１）、（ｅ）はシール位置における栓体、曲面体および挿通細線の縦断面図である（変形例）。
【図３】（ａ）はキャップから抜き出した状態を示す栓体の斜視図（実施例２）、（ｂ）はキャップに挿入した栓体を示す斜視図（実施例２）、（ｃ）は栓体、曲面体および挿通細線の分解縦断面図（実施例３）である。
【図４】（ａ）は押出し容器の斜視図（従来技術）、（ｂ）はキャップとチューブ体との分解斜視図である（従来技術）。
【符号の説明】
【００３１】
１      キャップ付き容器
２      容器体
３      吐出部
４      キャップ
４ｂ    挿通孔
４ｃ    先端口
４ｄ    周溝部
５      曲面体
５ａ    下地体
５ｂ    糸
６      挿通細線
６ａ    挿通細線の上端部
７      栓体
７ａ    シール部
７ｃ    突輪部
７ｄ    微小突起
Ｇ      溶剤形接着剤（液状体）
【図１】
0003141697.tif 000003
【図２】
0003141697.tif 000004
【図３】
0003141697.tif 000005
【図４】
0003141697.tif 000006